(57)【要約】【課題】記録再生装置に設けられたシャッタ開放部材と係止部とを確実に係合させ、且つ係止部のカートリッジ外形からの突出量を少なくして、カートリッジの取扱いを容易にすると共に操作性を向上させることができる感光性記録媒体用カートリッジを提供する。【解決手段】  シャッタ１３は、内部開口１８、１９を開閉するシャッタ部材５５と、感光性記録媒体用カートリッジ２の挿入方向Ｃ前面に形成された係合溝５６ｍおよび該係合溝５６ｍから突出して形成された係止部５６ｄとを有し、シャッタ部材５５に固着されたスライド部材５６と、を備える。スライド部材５６の前面５６ｇおよび／または後面には、凹溝である肉抜き部５６ｎが設けられてスライド部材５６の厚さが厚く形成される。スライド部材５６には、深さＤ１が深い係合溝５６ｍと、係合溝５６ｍから立設し、前面５６ｇからの高さＤ２が低い係止部５６ｄとが形成されている。【選択図】図１
2007200431.tif 000002
【特許請求の範囲】
【請求項１】
感光性記録媒体と、
前記感光性記録媒体を回転自在に収容するディスク収容部と、前記感光性記録媒体の中心と記録面とを外部に露呈させる内部開口と、内側にオフセットされて外面に形成されたシャッタ摺動面と、を有するカートリッジ本体と、
前記内部開口を閉じる閉じ位置と前記内部開口を開放する開放位置との間で移動自在とされて前記シャッタ摺動面に配設されたシャッタと、を備える感光性記録媒体用カートリッジであって、
前記シャッタは、前記内部開口を開閉するシャッタ部材と、
前記感光性記録媒体用カートリッジの挿入方向前面に形成された係合溝と、前記係合溝の底面から前記感光性記録媒体用カートリッジの挿入方向に突出して形成された係止部と、前記挿入方向の前面および／または後面に凹溝として形成された肉抜き部とを有し、前記シャッタ部材から前記シャッタの閉じ方向に延設されるように前記シャッタ部材に固着されたスライド部材と、を備えることを特徴とする感光性記録媒体用カートリッジ。
【請求項２】
前記感光性記録媒体は、ホログラム記録媒体であることを特徴とする請求項１に記載の感光性記録媒体用カートリッジ。
【発明の詳細な説明】
【技術分野】
【０００１】
本発明は、感光性記録媒体用カートリッジに関し、特に、記録再生装置のシャッタ開閉部材と係合してシャッタを開閉する係止部の突出高さが低くされて、優れた取扱い性、および操作性を有する感光性記録媒体用カートリッジに関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するDVD-RAMのカートリッジに類似したカートリッジに収容されて取り扱われている。
【０００３】
また、ディスク状記録媒体を収容するカートリッジとしては、ディスク状記録媒体を外部に露出させる開口が形成されたカートリッジ本体と、該開口を開閉するシャッタと、シャッタに固着されて該シャッタを移動させるスライド部材と、シャッタの外側に設けられた遮光板と、を備えるカートリッジが知られている（例えば、特許文献２参照）。カートリッジは、ホログラム記録層にデータを書き込み又はデータを読み出す記録再生装置に挿入されると、スライド部材が記録再生装置に設けられたシャッタ開放部材に係合してシャッタを開閉する。
【特許文献１】特開２００４―０２９４７６号公報
【特許文献２】特開２００１―２１６７５４号公報
【発明の開示】
【発明が解決しようとする課題】
【０００４】
ホログラム記録媒体を収容するカートリッジは、カートリッジ本体とシャッタとの間の遮光及び防塵を適切に行うためのシャッタを備え、データの書込み、読出し時にシャッタが開閉される。しかし、特許文献１には、シャッタ構造およびシャッタ開閉機構に関する記載がない。
【０００５】
特許文献２に記載のディスクカートリッジに詳細に記載されていないものの、スライド部材には、記録再生装置のシャッタ開放部材と係合するための係止部が設けられている必要がある。シャッタ開放部材は、揺動自在とされたアームの先端に、ローラが回動自在に配設された構造が一般的であり、該ローラがスライド部材の係止部に係合してシャッタを開閉する。ローラの直径は、ある程度大きくないとシャッタの滑らかな開閉の障害となる場合がある。また、ローラと係止部とが確実に係合するには、係止部の高さがローラの直径と同程度は必要であり、このため係止部が高くなってカートリッジの挿入方向前面から突出する傾向がある。カートリッジの前面から突出する係止部は、その取扱い時に他の部材に引っ掛かる虞があり、他の部材或いは係止部が損傷を受ける可能性があった。また、スライド部材を介してシャッタに外力が作用してシャッタが変形すると、遮光性能が劣化し、ホログラム記録媒体が感光して使用できなくなる可能性があった。
【０００６】
本発明は、上記事情に鑑みてなされたもので、その目的は、記録再生装置に設けられたシャッタ開放部材と係止部とを確実に係合させ、且つ係止部のカートリッジ外形からの突出量を少なくして、カートリッジの取扱いを容易にすると共に、取扱い性、操作性を向上させることができる感光性記録媒体用カートリッジを提供することにある。
【課題を解決するための手段】
【０００７】
本発明の上記目的は、下記感光性記録媒体用カートリッジによって達成される。
（１）  感光性記録媒体と、前記感光性記録媒体を回転自在に収容するディスク収容部と、前記感光性記録媒体の中心と記録面とを外部に露呈させる内部開口と、内側にオフセットされて外面に形成されたシャッタ摺動面と、を有するカートリッジ本体と、前記内部開口を閉じる閉じ位置と前記内部開口を開放する開放位置との間で移動自在とされて前記シャッタ摺動面に配設されたシャッタと、を備える感光性記録媒体用カートリッジであって、前記シャッタは、前記内部開口を開閉するシャッタ部材と、前記感光性記録媒体用カートリッジの挿入方向前面に形成された係合溝と、前記係合溝の底面から前記感光性記録媒体用カートリッジの挿入方向に突出して形成された係止部と、前記挿入方向の前面および／または後面に凹溝として形成された肉抜き部とを有し、前記シャッタ部材から前記シャッタの閉じ方向に延設されるように前記シャッタ部材に固着されたスライド部材と、を備えることを特徴とする感光性記録媒体用カートリッジ。
【０００８】
上記構成の感光性記録媒体用カートリッジによれば、シャッタは、内部開口を開閉するシャッタ部材と、感光性記録媒体用カートリッジの挿入方向前面に形成された係合溝および係合溝から突出して形成された係止部とを有し、シャッタ部材に固着されたスライド部材と、を備える。スライド部材の前面および／または後面には、凹溝である肉抜き部が形成されているので、スライド部材の厚さを厚くすることができ、これにより、係合溝を深く形成することが可能となる。従って、カートリッジ外形からの突出量を大きくすることなく、係合溝から立設する係止部の高さを高くすることができ、記録再生装置のシャッタ開放部材と確実に係合させると共に、カートリッジの取扱い性を向上させることができる。また、スライド部材を合成樹脂によって成形する場合、ヒケが防止され、且つ合成樹脂量を少なくして製作費を低減することができる。
【０００９】
（２）  前記感光性記録媒体は、ホログラム記録媒体であることを特徴とする上記（１）に記載の感光性記録媒体用カートリッジ。
【００１０】
上記構成の感光性記録媒体用カートリッジによれば、ホログラム記録媒体を収容する感光性記録媒体用カートリッジの取扱い性を向上させることができる。
【発明の効果】
【００１１】
本発明の感光性記録媒体用カートリッジによれば、スライド部材に肉抜き部を設けたので、スライド部材の厚さを厚くして係合溝を深く形成することができる。これにより、係止部のカートリッジ外形からの突出量を大きくすることなく、係止部の実質係合高さを高くして、記録再生装置のシャッタ開放部材と確実に係合させることができる。従って、シャッタ開放部材と係止部とを確実に係合させると共に、カートリッジの取扱い性を向上させることができる。
【発明を実施するための最良の形態】
【００１２】
以下、本発明の実施形態を図面に基づいて詳しく説明する。図１は本発明の実施形態であるホログラム記録媒体用カートリッジ（以下、カートリッジと省略する）の斜視図、図２はカートリッジの反対側の面を示す斜視図、図３はカートリッジの構成を示す分解斜視図、図４は図１におけるＩＶ−ＩＶ矢視断面図であり、（Ａ）は全体図、（Ｂ）は前端周縁部の拡大図、（Ｃ）は後端周縁部の拡大図、図５はシャッタおよび遮光板を除いて示すカートリッジの要部拡大分解斜視図、図６は図１におけるＶＩ−ＶＩ矢視断面図、図７は図１におけるＶＩＩ−ＶＩＩ矢視断面図である。
【００１３】
図１から図３に示すように、カートリッジ２は、このカートリッジを取り扱うホログラム記録装置等に対し、矢印Ｃ方向から装填される。カートリッジ２の装填方向先端の両側面には、カートリッジ２がホログラム記録装置等の各種機器に装填された際に、各機器に設けられた位置決め部材が挿入される位置決め溝７,８が設けられている。
【００１４】
カートリッジ２のディスク収容部３内に回転自在に収容される感光性記録媒体（以下、記録ディスクと称する）４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にしてホログラム記録装置にセットされる。
【００１５】
カートリッジ２は、ディスク収容部３が設けられたカートリッジ本体１１と、カートリッジ本体１１の側面１１ｃに形成された開口部２０を塞ぐ蓋体２１と、カートリッジ本体１１の外側を挟み込むようにして取り付けられる遮光板１２と、カートリッジ本体１１と遮光板１２との間に組み込まれるシャッタ１３とを備えている。遮光板１２の上下面には、第２の開口である略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００１６】
シャッタ１３が矢印Ｄ方向の開き位置に向けて移動すると、外部開口１４,１５とともに、外部開口１４,１５に対面するようにカートリッジ本体１１に設けられている同形状の内部開口１８,１９が開放される。これにより、ディスク収容部３内に収容されている記録ディスク４の中心部４ａと、記録面４ｂとが外部に露呈される。
【００１７】
シャッタ１３は、内蔵するシャッタバネによって閉じ位置に付勢され、かつロック機構２７によって閉じ位置でロックされている。ロック機構２７の解除は、位置決め溝７内に突出されている第２のロック部材６４をカートリッジ２内に押し込み、その状態でカートリッジ２のＡ面２ａ及びＢ面２ｂの開口７３,７２から露呈されている第１のロック部材６３をカートリッジ装填方向の後端側にスライドさせる。このように、シャッタ１３は、２段階の操作を行なわなければ解除されないロック機構２７によって閉じ位置でロックされているため、シャッタ１３が不用意に開放されることはない。
【００１８】
図３に示すように、カートリッジ本体１１は、略板状の第１シェル２５と、この第１シェル２５に接合される第２シェル２６と、第１シェル２５と第２シェル２６との間に組み込まれてシャッタ１３のロックを行なうロック機構２７とから構成されている。
【００１９】
第１シェル２５と第２シェル２６は、例えば、遮光性物質と滑剤とが添加された同一または類似の熱可塑性プラスチックを用いて、射出成形により形成されている。カートリッジ２の後端周縁部の拡大した断面図である図４（Ｃ）に示すように、第１シェル２５の内面には、記録ディスク４の外径よりも大きな径で形成された突条である第１の遮光壁３０と、この第１の遮光壁３０の外側に設けられた第２の遮光壁３１と、側面２５ｄを除く３辺の周縁部に形成された突条３２とが設けられている。第１の遮光壁３０の内側には、記録ディスク４の中心部４ａと記録面４ｂとを外部に露呈させる内部開口１８が設けられている。
【００２０】
第２シェル２６の内面には、記録ディスク４の外径よりも大きな径で形成された突条であり、第１シェル２５の第１の遮光壁３０と第２の遮光壁３１との間に挿入される第３の遮光壁３５と、側面２６ｄを除く３辺の周縁部に形成された突条３６とが設けられている。第３の遮光壁３５の内側には、記録ディスク４の中心部４ａと記録面４ｂとを外部に露呈させる内部開口１９が設けられている。
【００２１】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｅに当接する。ディスク収容部３は、これらの遮光壁３０、３１、３５と、第１シェル２５及び第２シェル２６の内面とによって形成される。
【００２２】
ディスク収容部３の側壁は、３枚の遮光壁３０，３１,３５が入り組んで形成されたラビリンス状の遮光構造となる。そのため、第１シェル２５及び第２シェル２６の合せ目から光や塵芥が入り込んでも、これらがディスク収容部３内にまで進入することはない。また、第１シェル２５と第２シェル２６とは、ねじ止めされて強固に固定されるため、両者の合せ目に隙間が開くようなことはない。また、第３の遮光壁３５の先端を超音波溶着などにより第１シェル２５の内面２５ｅに溶着させてもよく、こうすれば更に遮光性が向上する。
【００２３】
また、第１シェル２５と第２シェル２６とが重ね合わされて接合されると、突条３２，３６が設けられていない側面２５ｄ、２６ｄによって形成される側面１１ｃには、外部に開放された開口部２０が形成される（図５参照）。開口部２０の長さＬは、開口部２０側に位置する遮光板１２の周縁部１２ｄの長さＬ１より長く形成されている。
【００２４】
図３から図７に示すように、第１シェル２５及び第２シェル２６の外面には、遮光板１２の形状より僅かに大きく、且つ遮光板１２の厚み以上の深さで内側にオフセットされた遮光板取付面２５ａ、２６ａが形成されている。遮光板取付面２５ａ、２６ａの開口部２０側は、側面２５ｄ、２６ｄに段差なく連続して形成されている。開口部２０側を除く遮光板取付面２５ａ、２６ａの３辺の縁部（カートリッジ２の装填方向前端縁を含む）には、遮光板収容溝２５ｇ，２６ｇが形成されており、遮光板１２が遮光板取付面２５ａ、２６ａに取り付けられたとき、遮光板１２の周縁部１２ｄと嵌合してラビリンスを構成する。
【００２５】
図１から図３、図５及び図６に示すように、開口部２０には、蓋体２１が嵌合し、３本のねじ２９によりねじ止めされて開口部２０が塞がれる。蓋体２１は、開口部２０の長さＬと同じ長さを有する略直方形の有底箱体であり、矩形板状の本体部２１ａと、本体部２１ａのカートリッジ本体１１の装填方向前端縁および両側面の３辺から立設された略コの字形のリブ２１ｂとが一体に形成されている。また、リブ２１ｂと本体部２１ａとの接合部内側には、蓋体溝部２１ｃが形成されている。蓋体２１の長手方向下部のリブ２１ｂは、高さが低くされて段部２１ｄが形成されている。蓋体２１が開口部２０に取り付けられるとき、遮光板１２の周縁部１２ｄは、蓋体溝部２１ｃと嵌合してラビリンスを構成する。
【００２６】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００２７】
図３に示すように、遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００２８】
遮光板１２は、第１の板部１２ａ及び第２の板部１２ｂでカートリッジ本体１１のＢ面２ｂ及びＡ面２ａを挟み込み、かつ第３の板部１２ｃでカートリッジ本体１１の装填方向Ｃの先端を覆うようにして、開口部２０側の側面から挿嵌されてカートリッジ本体１１の遮光板取付面２５ａ,２６ａに取り付けられる。そして、開口部２０に蓋体２１がねじ止めされて取り付けられる。蓋体２１の段部２１ｄは、遮光板収容溝２５ｇ，２６ｇを形成するリブ２５ｆ、２６ｆの開口部２０側の端部に当接して組み付けられる。これにより、開口部２０側の遮光板１２の角部は、確実に覆われて側方からの光の進入が防止される。
【００２９】
遮光板１２の周縁部１２ｄは、遮光板収容溝２５ｇ，２６ｇおよび蓋体溝部２１ｃに嵌合して固定される。これにより、開口部２０が蓋体２１によって閉じられると共に、周縁部１２ｄと遮光板収容溝２５ｇ，２６ｇおよび蓋体溝部２１ｃから構成されるラビリンスにより確実に遮光される。また、遮光板１２は、遮光板１２とカートリッジ本体１１（第１シェル２５および第２シェル２６）の外面との間に、シャッタ１３を摺動移動させるための隙間を確保した状態で固定される。
【００３０】
遮光板１２は、コの字形の遮光板１２を開くことなく、開口部２０側の側面から挿嵌されて組み付けられるので、遮光板１２の変形による遮光性の低下が防止できる。また、遮光板１２は、その周縁部１２ｄが遮光板収容溝２５ｇ，２６ｇおよび蓋体溝部２１ｃに嵌合して固定されるので、ねじ止めが不要であり、これにより部品点数が削減されると共に、組付け性が向上する。
【００３１】
更に、開口部２０は蓋体２１によって覆われるので、カートリッジ本体１１を構成する２枚のシェル２５、２６の間に多少の隙間があっても、蓋体２１によって閉鎖されて良好な遮光性能が確保される。また、遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。
【００３２】
図３に示すように、シャッタ１３は、遮光性を有する薄板を略コ字形状となるように屈曲させたシャッタ部材５５と、このシャッタ部材５５に取り付けられる細長い板状のスライド部材５６とからなり、シャッタバネ５９により内部開口１８,１９を閉じる方向に付勢されている。シャッタバネ５９は、例えば、捩じりコイルバネからなり、その両端は、スライド部材５６と、第１シェル２５の内面とに係止されている。
【００３３】
シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００３４】
シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００３５】
第１シャッタ５５ａおよび第２シャッタ５５ｂの幅は、上部幅ＷＵより下部幅ＷＤの方が広く設定されている。これにより、第１シャッタ５５ａおよび第２シャッタ５５ｂのシャッタ閉じ方向側の縁部５５ｅ、５５ｆは、連設部５５ｃの垂直線に対して角度θだけ傾斜している。一方、第１シェル２５および第２シェル２６の内部開口１８,１９のシャッタ閉じ方向側の周縁部１８ａ、１９ａは、傾きなく形成されている。
【００３６】
これにより、シャッタ１３が閉じ方向に移動するとき、シャッタ１３のシャッタ閉じ方向側の縁部５５ｅ、５５ｆと内部開口１８,１９のシャッタ閉じ方向側の周縁部１８ａ、１９ａとは、常に一点で交差し、該交差点はシャッタ１３の閉動作に伴って周縁部１８ａ、１９ａに案内されながら縁部５５ｅ、５５ｆの一端側から他端側に移動する。即ち、シャッタ１３の縁部５５ｅ、５５ｆと内部開口１８,１９の周縁部１８ａ、１９ａとが平行に形成されている場合に起こり得る、シャッタ１３が閉じる際に縁部５５ｅ、５５ｆと周縁部１８ａ、１９ａとが当接してシャッタ１３の移動を阻害する現象が回避され、滑らかに閉じることができる。
【００３７】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されており、シャッタ１３はシャッタ摺動面２５ｂ,２６ｂに取り付けられる。これにより、シャッタ１３はカートリッジ本体１１と遮光板１２との間をスムースに移動することができるため、移動による切屑等の発生を抑えることができる。なお、シャッタ摺動面２５ｂ,２６ｂは、入射した光を拡散するために、粗面にしてもよい。同様に遮光板１２の内面、及びシャッタ１３の内面及び外面も粗面にしてもよい。
【００３８】
スライド部材５６は、カートリッジ２の装填方向前面５６ｇがカートリッジ本体１１の装填方向先端面から露出されるように、第１シェル２５と第２シェル２６との間にスライド自在に組み込まれる。スライド部材５６の前面５６ｇの端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００３９】
図４（Ｂ）及び図１０に示すように、スライド部材５６の側面には、長手方向に沿って溝５６ｃが形成されている。この溝５６ｃには、第１シェル２５及び第２シェル２６の装填方向先端側の内面に設けられた突条２５ｃ,２６ｃが挿入される。この溝５６ｃと突条２５ｃ,２６ｃとにより、スライド部材５６はカートリッジ本体１１から外れることなく、スライド移動することができるようになる。
【００４０】
スライド部材５６の前面５６ｇのシャッタ閉じ方向の端部には、端面から中心に向かうに従って次第に幅が狭まる略ハの字形に形成された、深さＤ１の係合溝５６ｍが設けられている。係合溝５６ｍの奥側には、シャッタ１３を開く際に操作される係止部５６ｄがスライド部材５６の前面５６ｇよりもカートリッジ２の挿入方向前方に高さＤ２だけ突出して形成されている。スライド部材５６の上面および下面には、溝状の肉抜き部５６ｎが設けられている。これにより、スライド部材５６の厚さを肉厚に形成することができ、係止部５６ｄの高さＤ２をスライド部材５６の前面５６ｇからあまり突出させることなく、後述するシャッタ開閉ローラ４３と係合する係止部５６ｄの実質高さ（Ｄ１＋Ｄ２）を、確実な係合に必要な高さとして確保することができる。
【００４１】
この係止部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、係止部５６ｄとの干渉を避けるために設けられたものであり、シャッタ１３の移動距離が不足して内部開口１８,１９を開放できない場合に形成することにより移動距離の拡大が図られる。
【００４２】
遮光性の観点からは、切欠４０を設けないことが望ましい。また、切欠４０を設ける場合でも、切欠４０の端縁４０ａは、内部開口１８,１９の周縁部１８ａ、１９ａからシャッタ閉じ方向にできるだけ離間させて形成するようにして遮光性を阻害しない配慮が必要である。
【００４３】
次に、ロック機構およびシャッタ開放機構について図８から図１２に基づいて説明する。図８は図１におけるＶＩＩＩ−ＶＩＩＩ矢視断面図、図９は図１におけるＸＩ矢視平面図、図１０はロック機構の構成を示す分解斜視図、図１１はシャッタを開放するための各種機構の一例を示す分解斜視図、図１２はロック機構の動作説明図である。
【００４４】
図１０に示すように、スライド部材５６には、係止部５６ｄに隣接して凹部５６ｅが形成されている。凹部５６ｅの図中右側面は、カートリッジの装填方向前方に向かうに従って次第にシャッタの閉じ方向に傾斜する係合傾斜面（係合部）５６ｆが形成されている。また、スライド部材５６の図中右端面と下面との角部は、係合傾斜面５６ｆと略平行に面取りされた案内傾斜面５６ｋが形成されている。
【００４５】
ロック機構２７は、シャッタを閉じ位置でロックする第１のロック部材６３と、第１のロック部材６３の移動をロックする第２のロック部材６４と、第１のロック部材６３を図中上方に付勢すると共に第２のロック部材６４を図中右方向に向けて付勢するロックバネ６５とから構成されている。
【００４６】
第１のロック部材６３は、第１シェル２５内に設けられたスライド枠１０２内に組み込まれて、縦方向でスライド自在とされている。第１のロック部材６３の先端には、スライド部材５６の凹部５６ｅに係合してシャッタ１３をロックするロック片６３ａと、開口７２から外部に露呈される矩形操作穴６３ｂと、第１のロック部材６３の側面に形成されて第２のロック部材６４と係合する嵌合溝６３ｃとを備えている。
【００４７】
第２のロック部材６４は、第１のロック部材６３の上に重ねられるようにスライド枠１０２内に組み込まれて横方向でスライド自在とされている。第２のロック部材６４は、先端６４ａが略三角形状に形成されて位置決め溝７に設けられた切欠６７から外部に突出される。また、第２のロック部材６４には、後端に形成された規制突起６４ｂおよび溝６４ｃが設けられており、第１のロック部材６３が溝６４ｃに嵌合して上下方向に移動自在に配設される。
【００４８】
第１のロック部材６３のロック片６３ａの上面は、シャッタが開き位置から閉じ位置に移動する際に、凹部５６ｅとの係合を誘うための斜面６３ｅが、スライド部材５６の係合傾斜面５６ｆと略平行に形成されている。また、ロック片６３ａの図中右側には、凹部５６ｅの係合傾斜面５６ｆと略平行な傾斜面であるフック部６３ｆが形成されており、スライド部材５６が図中左方向（シャッタが開く方向）に移動すると、係合傾斜面５６ｆがフック部６３ｆと係合して該移動を確実に阻止するようになっている。第１のロック部材６３及び第２のロック部材６４は、ピン１１０に挿入されたロックバネ６５によってそれぞれ上方及び右方に付勢されている。
【００４９】
図１１に示すように、カートリッジ２を装填して使用されるホログラム記録装置（駆動装置）内には、例えば、１対の位置決め部材７７,７７と、第１のロック部材６３を操作する１対のロック解除アーム７８、７８と、シャッタ１３を開き位置と閉じ位置との間でスライドさせる１対のシャッタ開放機構８０とが組み込まれている。一対の位置決め部材７７,７７は、装填されたカートリッジ２の両側面の位置決め溝７,８に係合して、カートリッジ２の挿入方向、及びこの挿入方向に直交する方向でカートリッジ２を位置決めする。
【００５０】
ロック解除アーム７８、７８は、その一端に嵌合する軸８１を中心として揺動自在に配設された略Ｌ字形の部材であり、先端の突起部には傾斜面７８ａが形成されている。ロック解除アーム７８が揺動して、先端の突起部がカートリッジ２の開口７２から第１のロック部材６３の矩形操作穴６３ｂに挿入されると、傾斜面７８ａが矩形操作穴６３ｂのカートリッジ挿入方向後方の面を押圧して第１のロック部材６３を装填方向と逆方向（図１０においては下方）に移動させる。なお、記録ディスク４は両面への記録が可能であるため、カートリッジ２は、Ａ面２ａまたはＢ面２ｂのいずれもが上方に向けられて装置にセットされるが、装填面が異なると、ロック機構２７の位置が左右で反転する。そのため、ロック解除アーム７８は、カートリッジ２が反転して装填された場合でも矩形操作穴６３ｂに係合できるように、反転装填時用のロック解除アーム７８を備えている。
【００５１】
シャッタ開放機構８０は、装填されるカートリッジ２の側壁よりも外側に配置された支点ピン４１を中心として回動自在に配設されたシャッタアーム４２を備える。シャッタアーム４２は、その先端にシャッタ開放部材であるシャッタ開閉ローラ４３が回動自在に設けられると共に、コイルバネ４４によってシャッタ開閉ローラ４３が係合溝５６ｍに当接する方向に付勢されている。
このシャッタ開放機構８０も、カートリッジ２の反転挿入に対応するために反対側の対称位置にもう一組設けられている。
【００５２】
図８に示すように、第１のロック部材６３の矩形操作穴６３ｂを外部に露呈させるカートリッジ本体１１の開口７２、７３は、その外面角部に面取り、またはアール面取りが施されて面取り部２５ｋ、２６ｋが形成されている、また、図９に示すように、矩形操作穴６３ｂの幅Ｗ２は、開口７２、７３の幅Ｗ１より広く設定されている。これにより、ロック解除アーム７８が開口７２、７３に挿入されるとき、面取り部２５ｋ、２６ｋに案内されて滑らかに挿入され、更にロック解除アーム７８の先端部（特に、両側部）が矩形操作穴６３ｂの縁部に干渉することなく挿入されて矩形操作穴６３ｂに嵌合する。
【００５３】
図１２（Ａ）に示すように、カートリッジの不使用時には、ロックバネ６５の付勢により第２のロック部材６４の先端６４ａは切欠６７から位置決め溝７内に突出されている。このときに、第２のロック部材６４の規制突起６４ｂは、第１のロック部材６３の嵌合溝６３ｃに係合して、第１のロック部材６３の下方へのスライドを阻止する。
【００５４】
同図（Ｂ）に示すように、カ一トリッジ２がホログラム記録装置等に装填されると、位置決め溝７に挿入された位置決め部材７７により先端６４ａが押され、第２のロック部材６４はカートリッジ内に押し込まれ、規制突起６４ｂが嵌合溝６３ｃから抜け出る。これにより、第１のロック部材６３は、下方へのスライドが可能となる。同時に、シャッタ開閉ローラ４３が係合溝５６ｍに対応する位置に配置される。
【００５５】
ここで、同図（Ｃ）に示すように、装置内に設けられたロック解除アーム７８が第１のロック部材６３の矩形操作穴６３ｂに挿入されると、第１のロック部材６３は、ロック解除アーム７８の傾斜面７８ａによって押圧されて下方にスライドして、ロック片６３ａがスライド部材５６の凹部５６ｅから抜け出るため、シャッタの移動が可能となる。また同時に、シャッタ開閉ローラ４３が係合溝５６ｍに嵌合する。
【００５６】
更に、カートリッジ２が挿入されると、シャッタアーム４２はカートリッジ２に押圧され、コイルバネ４４の弾性力に抗して時計方向に回動する。このとき、シャッタ開閉ローラ４３は、嵌合する係合溝５６ｍによって案内されて図１２の紙面に直交する方向の位置が規制されながら、図中左方向（カートリッジ２の中心方向）に相対的に移動し、係止部５６ｄを押圧してシャッタ１３を開く。
【００５７】
このとき、シャッタ開閉ローラ４３と係合する係止部５６ｄの実質高さ（係合高さ）は、係合溝５６ｍの深さＤ１と、スライド部材５６の上面からの係止部５６ｄの突出高さＤ２との合計（Ｄ１＋Ｄ２）となる。従って、カートリッジ２からの突出高さＤ２を高くすることなく、係止部５６ｄの係合高さ（Ｄ１＋Ｄ２）を高くすることができ、係止部５６ｄとシャッタ開閉ローラ４３とが確実に係合する。
【００５８】
また、係合溝５６ｍの幅は、カートリッジ２の中心に向かうに従って次第に幅が狭くなる略ハの字形に形成されているので、シャッタ開閉ローラ４３の位置が多少カートリッジ２の板厚方向にずれていても、容易に係合溝５６ｍと嵌合する。更に、シャッタ開閉ローラ４３が係止部５６ｄ方向に移動するのに伴って、略ハの字形の係合溝５６ｍにより板厚方向の位置が矯正されながら移動し、確実に係止部５６ｄに当接してシャッタ１３を開放する。
【００５９】
この実施形態のロック機構２７では、係合傾斜面５６ｆおよびフック部６３ｆの形状は、シャッタ１３が開く方向にスライド部材５６が移動すると、互いに噛み合わされて更に係合力が強まって強固に係合する方向に傾斜しているので、シャッタ１３の開放が確実に防止される。また、シャッタ１３のロックを解除するために２段階の操作が必要となるため、不用意にシャッタ１３が開放されるのを防止することができる。
【００６０】
以上説明したように、本発明の感光性記録媒体用カートリッジ２によれば、スライド部材５６に肉抜き部５６ｎを設けたので、スライド部材５６の厚さを厚くして係合溝５６ｍを深く形成することができる。これにより、係止部５６ｄのカートリッジ外形からの突出量Ｄ２を大きくすることなく、係止部５６ｄの実質係合高さＤ１＋Ｄ２を高くして、記録再生装置のシャッタ開放部材８０と確実に係合させることができる。従って、カートリッジ２の取扱い性が向上すると共に、シャッタ開放部材８０と係止部５６ｄとの確実な係合が可能となる。
【００６１】
上記説明においては、両面に記録が可能な記録ディスクを収容するカートリッジを例に説明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。
【図面の簡単な説明】
【００６２】
【図１】本発明を実施したカートリッジの外観形状を示す斜視図である。
【図２】カートリッジの反対側の面を示す斜視図である。
【図３】カートリッジの構成を示す分解斜視図である。
【図４】図１におけるＩＶ−ＩＶ矢視断面図であり、（Ａ）は全体図、（Ｂ）は前端周縁部の拡大図、（Ｃ）は後端周縁部の拡大図である。
【図５】シャッタおよび遮光板を除いて示すカートリッジの要部拡大分解斜視図である。
【図６】図１におけるＶＩ−ＶＩ矢視断面図である。
【図７】図１におけるＶＩＩ−ＶＩＩ矢視断面図である。
【図８】図１におけるＶＩＩＩ−ＶＩＩＩ矢視断面図である。
【図９】図１におけるＸＩ矢視平面図である。
【図１０】ロック機構の構成を示す分解斜視図である。
【図１１】シャッタを開放するための各種機構の一例を示す分解斜視図である。
【図１２】ロック機構の動作説明図である。
【符号の説明】
【００６３】
２       カートリッジ（感光性記録媒体用カートリッジ）
３       ディスク収容部
４       記録ディスク（感光性記録媒体、ホログラム記録媒体）
４ａ     感光性記録媒体の中心部
４ｂ     感光性記録媒体の記録面
１１     カートリッジ本体
１３     シャッタ
１８     内部開口
１９     内部開口
２５     第１シェル
２５ｂ   シャッタ摺動面
２６     第２シェル
２６ｂ   シャッタ摺動面
５５     シャッタ部材
５６     スライド部材
５６ｄ   係止部
５６ｍ   係合溝
５６ｎ   肉抜き部
【図１】
2007200431.tif 000003
【図２】
2007200431.tif 000004
【図３】
2007200431.tif 000005
【図４】
2007200431.tif 000006
【図５】
2007200431.tif 000007
【図６】
2007200431.tif 000008
【図７】
2007200431.tif 000009
【図８】
2007200431.tif 000010
【図９】
2007200431.tif 000011
【図１０】
2007200431.tif 000012
【図１１】
2007200431.tif 000013
【図１２】
2007200431.tif 000014